(57)【要約】      （修正有）【課題】特別な操作を要することなく、キャップを落下させたり紛失することを確実に防止し、かつ、そのキャップが内容物の抽出を阻害することのない袋状容器容器口栓と、その口栓を備えた袋状容器を提供する。【解決手段】スパウト３の首部３２の内側に支持板を介してガイド棒を一体に形成し、支持板には袋状容器の内容物を通過させるためのゲート孔３５を形成する一方、キャップ４の内側には、スパウト３の首部３２にねじ込まれたときにゲート孔３５を閉塞する閉塞部４ｃを設けるとともに、このキャップ４の頂板にはスパウト３の首部３２にねじ込まれたときにガイド棒が貫通する貫通孔４ｂを形成し、キャップ４とスパウト３との間には、キャップ４のねじ戻し状態でキャップ４がスパウト３２から離脱することを阻止する離脱阻止機構を設けることで、キャップ４を取り外すことなく内容物の抽出を可能とする。【選択図】図２
2013230866.tif 000002
【特許請求の範囲】
【請求項１】
袋状容器に取り付けられる基部と、その基部から突出し、外周に雄ねじが形成された円筒形状の首部とからなり、上記基部には、袋状容器内の収容物を上記首部内に導くための流路が形成されたスパウトと、
内周に雌ねじが形成され、上記スパウトの首部の雄ねじにねじ込まて当該首部の先端開口部を閉鎖するためのキャップとを有する袋状容器用口栓において、
上記スパウトの首部の内側には、基端が当該首部の内周面に支持板を介して一体化され、当該首部の中心軸に沿って伸びてその先端が当該首部の先端から突出するガイド軸が設けられているとともに、上記支持板には、上記袋状容器内の収容物を通過させるためのゲート孔が形成され、
上記キャップの内側には、上記スパウトの首部にねじ込まれた状態で上記ゲート孔を閉塞する閉塞部が形成されているとともに、このキャップの頂板部には、上記スパウトの首部にねじ込まれた状態で上記ガイド軸が嵌まり込み、かつ、ねじ戻した状態で開通する貫通孔が形成され、
上記スパウトとキャップには、キャップをねじ戻した状態でスパウトから離脱することを阻止する離脱阻止機構が設けられていることを特徴とする袋状容器用口栓。
【請求項２】
上記支持板のゲート孔は、上記ガイド軸の基端の周囲に複数個等配に設けられていることを特徴とする請求項１に記載の袋状容器用口栓。
【請求項３】
上記キャップの閉塞部は、当該キャップの頂板内面から突出する円筒形状の突起であることを特徴とする請求項２または３に記載の袋状容器用口栓。
【請求項４】
上記離脱阻止機構は、上記スパウトの首部の先端に設けられた径方向に突出する突出部と、上記キャップの内周に形成された上記雌ねじのねじ山が干渉する機構であることを特徴とする請求項１から３のいずれか１項に記載の袋状容器用口栓。
【請求項５】
上記スパウトの首部と上記キャップに形成されたねじは２条ねじであることを特徴とする請求項１から４のいずれか１項に記載の袋状容器用の注出口。
【請求項６】
請求項１から５のいずれかに記載の口栓が取り付けられていることを特徴とする袋状容器。
【発明の詳細な説明】
【技術分野】
【０００１】
本発明は袋状容器に取り付けられ、その内部に収容された流動性の食品や化粧品ないしは薬品等を注出するための口栓と、その口栓を備えた袋状容器に関する。
【背景技術】
【０００２】
例えば液体調味料や飲料等の流動性の製品を収容する容器として、近年、スタンディングパウチをはじめとする袋状容器が多用されている。このような袋状容器においては、袋状容器本体の縁辺にスパウトを融着した構造のものが採用され、その内容物に応じて、例えば空気との接触により劣化する内容物を収容するものでは、例えばスパウトに逆止め弁機能を設けたもの等が採用されているが、基本的にはスパウトの注出口を構成する首部の周囲に形成した雄ねじにキャップを着脱自在に被せた構造が採用されている（例えば特許文献１参照）。
【０００３】
このような袋状容器によれば、内容物をスパウトの注出口から注出するごとにキャップを脱着する必要があり、キャップを落として汚したり、紛失する可能性があるという問題があった。
【０００４】
ボトル等のキャップの落下や紛失を防止する技術として、従来、キャップに設けられる封緘リング（タンパーエビデントバンド）とキャップの間に連結帯を設け、この連結帯は封緘リングとキャップの双方に対して切欠き可能なスコアラインを介して連結し、この連結帯にはキャップと封緘リングとを結ぶ方向への切欠き部を形成するとともに、キャップと連結帯との周方向区分位置に、切欠き部のキャップの螺脱方向側の隣接位置に接続部を設ける一方、封緘リングと連結帯との周方向区分位置には、切欠き部のキャップの螺着方向側の隣接位置に接続部を設けた構造のものが提案されている（例えば特許文献２参照）。
【０００５】
この特許文献２に記載の技術によれば、容器を開封した後、キャップが連結帯を介してボトルの口頸部に固着している封緘リングに繋がった状態となり、使用中にキャップが落下したり紛失することを防止することが可能となる。
【０００６】
また、袋状容器のスパウトに被せられているキャップの落下や紛失を防止する技術として、従来、スパウト本体にフランジ部を形成し、そのフランジ部に切欠きを設ける等によりキャップの保持部を形成し、スパウトから取り外したキャップをそのキャップの保持部に保持するようにしたものが提案されている（例えば特許文献３参照）。
【先行技術文献】
【特許文献】
【０００７】
【特許文献１】特開２００４−６７１８４号公報
【特許文献２】特開２００４−３０７００６号公報
【特許文献３】特開２００７−２０４１２４号公報
【発明の概要】
【発明が解決しようとする課題】
【０００８】
ところで、封緘リングに連結帯を介してキャップを繋げる特許文献２に記載の技術は、内容物を注出すべく注出口が下向きとなるようにボトルを傾けたとき、連結帯を介してキャップが下方にぶら下がった状態となり、キャップが邪魔となって扱いにくいという問題がある。また、連結帯を介して２重に形成されたスコアラインを全て破断することは確実性に欠けるという問題もある。
【０００９】
一方、スパウトにフランジと切欠きを設けてキャップの保持部を形成する特許文献３の技術ではこのような問題はないものの、外したキャップを切欠きに装着し、内容物の注出後は切欠きからキャップを取り外してスパウトにねじ込む必要があり、使用者に余計な操作を強いるという問題がある。
【００１０】
本発明はこのような実情に鑑みてなされたもので、特別な操作を要することなく、キャップを落下させたり紛失することを確実に防止することができ、しかも、そのキャップが内容物の注出を阻害することのない袋状容器用口栓と、そのスパウトを備えた袋状容器の提供をその課題としている。
【課題を解決するための手段】
【００１１】
上記の課題を解決するため、本発明の袋状容器用口栓は、袋状容器に取り付けられる基部と、その基部から突出し、外周に雄ねじが形成された円筒形状の首部とからなり、上記基部には、袋状容器内の収容物を上記首部内に導くための流路が形成されたスパウトと、内周に雌ねじが形成され、上記スパウトの首部の雄ねじにねじ込まて当該首部の先端開口部を閉鎖するためのキャップとを有する袋状容器用口栓において、上記スパウトの首部の内側には、基端が当該首部の内周面に支持板を介して一体化され、当該首部の中心軸に沿って伸びてその先端が当該首部の先端から突出するガイド軸が設けられているとともに、上記支持板には、上記袋状容器内の収容物を通過させるためのゲート孔が形成され、上記キャップの内側には、上記スパウトの首部にねじ込まれた状態で上記ゲート孔を閉塞する閉塞部が形成されているとともに、このキャップの頂板部には、上記スパウトの首部にねじ込まれた状態で上記ガイド軸が嵌まり込み、かつ、ねじ戻した状態で開通する貫通孔が形成され、上記スパウトとキャップには、キャップをねじ戻した状態でスパウトから離脱することを阻止する離脱阻止機構が設けられていることによって特徴づけられる（請求項１）。
【００１２】
ここで、本発明においては、上記支持板のゲート孔は、上記ガイド軸の基端の周囲に複数個等配に設けられている構成（請求項２）を好適に採用することができる。
【００１３】
また、本発明においては、上記キャップの閉塞部は、当該キャップの頂板内面から突出する円筒形状の突起とする構成（請求項３）を採用することができる。
【００１４】
更に、本発明においては、上記離脱阻止機構として、上記スパウトの首部の先端に設けられた径方向に突出する突出部と、上記キャップの内周に形成された上記雌ねじのねじ山が干渉する機構とすること（請求項４）を採用することができる。
【００１５】
更にまた、本発明においては、上記スパウトの首部と上記キャップに形成されたねじを２条ねじとすること（請求項５）が好ましい。
【００１６】
一方、本発明の袋状容器は、請求項１〜５のいずれかの口栓を取り付けられていることによって特徴づけられる（請求項６）。
【００１７】
本発明は、スパウトの注出口を塞ぐためのキャップを、スパウトから取り外すことなく、袋状容器の内容物を注出することを可能とし、課題を解決するものである。
【００１８】
すなわち、本発明においては、スパウトの首部の内側に、その中心軸に沿うようにガイド軸を設ける。このガイド軸は、スパウトの首部の内周に一体に形成された支持板にその基端を支持するとともに、その先端は首部の先端から突出させる。また、支持板には、袋状容器の内容物を通過させるためのゲート孔を設ける。
【００１９】
一方、キャップには、スパウトの首部にねじ込んだとき、当該首部の内側の支持板に形成されたゲート孔を閉塞する閉塞部を設けるとともに、そのねじ込み状態で上記ガイド軸が嵌まり込み、かつ、キャップをねじ戻したときに開通する貫通孔を形成する。
【００２０】
そして、スパウトとキャップの間には、キャップをねじ戻した状態でスパウトから離脱することを阻止する離脱阻止機構を設ける。
【００２１】
以上の構成によれば、キャップをスパウトの首部にねじ込んだ状態では、スパウトに形成されているゲート孔がキャップの閉塞部で閉塞され、かつ、キャップの貫通孔はガイド軸が嵌まり込んで閉鎖された状態となる。その状態からキャップをねじ戻すと、ゲート孔が解放されると同時に、キャップの貫通孔が開通した状態となる。ただし、この状態においても、キャップは離脱阻止機構の存在によりスパウトに係合したままである。この状態でスパウトが下方に向くように袋状容器を傾けると、その内容物はゲート孔を介してスパウトの首部の先端開口側へと流れ、ガイド軸を伝ってその先端側に向かい、キャップの貫通孔から外部に流出する。つまり、本発明の構成によれば、キャップをスパウトから取り去ることなく内容物の注出が可能であり、しかも注出に際してキャップはスパウトの首部の中心軸上に位置してその頂板に形成された貫通孔を通じて内容物が注出されるため、キャップが邪魔になることがない。
【００２２】
袋状容器の施栓は、スパウトの首部の内側に設けた支持板に形成したゲート孔を、キャップに設けた閉塞部により閉塞することによって行われ、通常のキャップを用いた施栓、つまりスパウトの首部の先端開口部をキャップで閉塞する構造に比して、施栓状態で首部の内側を含めた容器内に留まる空気の量を少なくすることができるという利点もある。また、注出終了後に口栓を上向きにして袋状容器を適宜に圧迫することにより、容器内に留まる空気をなお一層少なくすることができる。
【００２３】
すなわち、袋状容器は、内容物の注出に従って容積が小さくなるため、基本的には内容物の注出時に内容物と外気との置換は生じないが、注出を完了して注出口を上向きにしたとき、袋状容器内に僅かに空気が入り込む場合がある。その場合、袋状容器を手で圧迫することにより、その空気を外部に排出することができる。首部の先端開口部をキャップで施栓する通常のキャップを用いた場合、容器内部の空気を外部に排出するためには、内容物が首部の先端までくるように圧迫しなければ容器内の空気を全て排出することはできず、内要物をこぼしてしまう虞がある。これに対し、本発明では、首部の内側に設けた支持板に形成したゲート孔をキャップに設けた閉塞部により閉塞することで施栓するため、袋状容器を圧迫してゲート孔の近傍にまで内容物がくるように圧迫することで容器内の空気が全て排出されるため、その操作時に内容物をこぼす虞がなく、その状態で施栓することで、容器内の空気を全て排出した状態で施栓することが可能となる。
【００２４】
また、請求項２に係る発明のように、支持板に形成するゲート孔は、当該支持板により支持されているガイド軸の基端の周囲に複数個等配に設けること、つまり一定の角度置きに複数個設けることが、内容物の注出動作がスムーズなものとなって好ましく、請求項３に係る発明の構成、すなわちキャップの頂板内面から円筒形状に突出する閉塞部との併用と相まって、容器の施栓を確実なものとすることができる。
【発明の効果】
【００２５】
本発明によれば、スパウトの注出口に被せられているキャップをねじ戻すだけで、そのキャップを取り去ることなく、袋状容器の内容物を注出することができ、袋状容器の内容物の注出時にキャップを落としたり紛失してしまうとこを確実に防止することができる。しかも、キャップをねじ戻すだけで、特に余分な操作をする必要がないため、使用者に負担をかけることもない。
【００２６】
また、スパウトの首部の内側に設けられてガイド軸を支持する支持板に穿ったゲート孔を閉塞することによって施栓するので、従来のスパウトの首部の注出口をキャップの頂板で閉塞することによって施栓する構造に比して、容器内に留まる空気を少なくすることができる。そして、内容物の注出後に袋状容器を少し圧迫するという操作を加えることで、首部を含めた容器内の空気を殆ど全て排出した状態で施宣することができる。
【図面の簡単な説明】
【００２７】
【図１】本発明の実施の形態の正面図である。
【図２】本発明の実施の形態の口栓の縦断面図である。
【図３】本発明の実施の形態のキャップを外した状態で示すスパウトの正面図（Ａ）、平面図（Ｂ）および底面図（Ｃ）である。
【図４】本発明の実施の形態のキャップを外した状態で示すスパウトの縦断面図である。
【図５】本発明の実施の形態のキャップの形状、構造を表す図であり、（Ａ）は縦断面図、（Ｂ）は平面図である。
【図６】本発明の実施の形態において内容物を注出する際の状態を示す断面図である。
【発明を実施するための形態】
【００２８】
以下、図面を参照しつつ本発明の実施の形態について説明する。
図１は本発明を適用したスパウト付きパウチの正面図であり、図２はその口栓２の縦断面図である。
【００２９】
パウチ１はこの例においてスタンディングパウチであり、その上辺の角隅部に口栓２が設けられている。パウチ１の材料は特に限定されることのない公知の積層フィルムであり、例えば相互融着並びに口栓２に対する融着のための樹脂層を内層に、パウチとしての強度を担う樹脂層を外層に設けたり、あるいはそれに加えて、内容物に要求される機能を担う機能層を加えた積層構造のものを採用することができる。
【００３０】
口栓２は、スパウト３とキャップ４とからなる、いわゆるキャップ付きスパウトであって、その詳細構造を図２並びにに図３〜図５を参照しつつ説明する。図３はキャップ４を取り去った状態で示すスパウト３の構造説明図で、（Ａ）は正面図、（Ｂ）は平面図、（Ｃ）は底面図であり、図４にはその縦断面図を示す。また、図５はキャップ４の縦断面図（Ａ）および平面図（Ｂ）である。
【００３１】
スパウト３は平面視で菱形ないしは舟形をした基部３１と、その基部３１から突出して先端が開口する円筒形状の首部３２とからなり、基部３１の両側面はパウチ１の積層フィルムにより両側から挟み込まれた状態で融着されることにより、パウチ１に対して固定される。
【００３２】
首部３２の外周には、後述するようにキャップ４をねじ込んで被せるための雄ねじ３２ａが形成されている。この雄ねじ３２ａは２条ねじである。基部３１の内側には、パウチ１の内部と首部３２の内側とに連通する流路３１ａが形成されており、パウチ１の内容物はこの流路３１ａを通って首部３２の内側へと導かれる。
【００３３】
首部３２の内側には、その軸線に沿ってガイド棒３３が設けられている。すなわち、首部３２の内周面に軸線に直交するように支持板３４が一体に形成され、その支持板３４の径方向中心に、ガイド棒３３の基端３３ａが一体に形成されている。ガイド棒３３の先端３３ｂは、首部３２の先端開口部３２ｂを越えて外方にまで至っている。
【００３４】
また、ガイド棒３３は、その基端３３ａと先端３３ｂの間に段部３３ｃが形成されており、この段部３３ｃよりも先端３３ｂ側の直径は段部３３ｃよりも基端３３ａ側の直径よりも細くなっている。
【００３５】
支持板３４には４個のゲート孔３５が周方向等分に形成されている。具体的には、支持板３４のガイド棒３３の基端３３ａの外周に沿って、その周囲を４等分する位置関係のもとに４個の円弧状のゲート孔３５が形成されている。
【００３６】
スパウト３の首部３２の先端には、その外周に一周にわたって外方に突出する突出部３６が形成されており、この突出部３６は、後述するキャップ４の離脱阻止機構の一部を形成している。
【００３７】
キャップ４は、図５に示すように、その内周面にスパウト３の首部３２の外周の雄ねじ３２ａに螺合する２条ねじの雌ねじ４ａが形成されている。この雌ねじ４ａは、上記したスパウト３の首部の先端外周に形成された突出部３６とともにキャップ４の離脱阻止機構を形成するものであり、突出部３６の外径は雌ねじ３２ａの山の径（内径）よりも大きく形成されている。
【００３８】
また、キャップ４の頂板の中央部には貫通孔４ｂが形成されている。この貫通孔４ｂの直径は、スパウト３の首部３２の内側に一体形成されているガイド棒３３の先端３３ｂ側の直径よりも僅かに大きい。
【００３９】
更に、このキャップ４の頂板の内側には、貫通孔４ｂを囲むように円筒状の閉塞部４ｃが突出形成されている。この閉塞部４ｃの肉厚の中央部分での直径は、スパウト３の首部３２の内側に一体形成された支持板３４に穿たれている各ゲート孔３５の配設ピッチ円直径と略同一であり、また、この閉塞部４ｃの内径寸法は前記したガイド棒３３の基端３３ａ側の直径（外径）よりも僅かに大きい。
【００４０】
さて、キャップ４をスパウト３の首部３２にねじ込んだ状態では、図２に示すように、スパウト３に形成されているガイド棒３３の先端３３ｂ近傍がキャップ４の貫通孔４ｂ内に嵌まり込んで当該貫通孔４ｂを封止し、かつ、キャップ４の閉塞部４ｃがスパウト３に形成されている支持板３４に密着当接して４個のゲート孔３５を密閉した状態となる。
【００４１】
この状態からパウチ１内の内容物を注出するには、キャップ４をねじ戻し、スパウト３の雄ねじ３２ａに対する雌ねじ４ａの螺合を解除し、スパウト３が下方を向くようにパウチ１を傾ける。これにより、キャップ４は下方に移動するが、スパウト３の先端に形成されている突出部３６がキャップ４の雌ねじ４ａに干渉し、すなわち離脱防止機構が機能し、キャップ４はスパウト３から離脱して落下することなくスパウト３に係合した状態を保つ。この状態を図６に断面図で示す。この状態では、キャップ４はスパウト３の先端側へと移動しているため，閉塞部４ｃはスパウト３に形成されている支持板３４から離れる結果、各ゲート孔３５の密閉が解かれた状態となる。これにより、パウチ１内に収容されている内容物は、図６に矢印Ｇで示す経路を通って、すなわち、流路３１ａを介してゲート孔３５を通過し、ガイド棒３３を伝ってキャップ４の貫通孔４ｂを介して外部へと注出される。
【００４２】
以上の実施の形態において特に注目すべき点は、キャップ４をスパウト３から取り外すことなくパウチ１内の内容物を注出することができる点であり、これにより、内容物の注出に際して使用者はキャップ４をねじ戻してスパウト３を下に向けるだけで、キャップ４を外す必要がなく、キャップ４を落下させたり紛失してしまう虞が皆無となる。しかも、キャップ４を規定の位置に装着するといった操作も必要としない。また、スパウト３の雄ねじ３２ａ並びにキャップ４の雌ねじを２条ねじとしているため、キャップ４のねじ戻しおよびねじ込みの操作が簡単であるという利点もある。
【００４３】
しかも，内容物の注出時にキャップ４はスパウト３の首部３２に同心上に位置しているため、従来の提案のようにスパウト３からキャップ４が垂れ下がって流れを阻害することもない。
【００４４】
なお、以上の実施の形態においては、ゲート孔３５を４個としてガイド棒３３の周囲に等分に配置した例を示したが、ゲート孔の個数やその配置は特に限定されるものではない。しかし、以上の実施の形態のような配置とすることにより、ゲート孔３５を通過した内容物がスムーズにガイド棒３３に導かれ、貫通孔４ｂから偏りなく外部に抽出される。
【００４５】
また、キャップ４のスパウト３に対する離脱阻止機構についても、上記の実施の形態ではスパウト３に形成した突出部３６とキャップ４の雌ねじ４ａを利用したが、この機構についてもこの例に限定されることなく、要はねじ戻した状態のキャップ４がスパウト３から離脱しない機構であれば任意の機構を採用することができる。
【符号の説明】
【００４６】
１  パウチ
２  口栓
３  スパウト
３１  基部
３１ａ  流路
３２  首部
３２ａ  雄ねじ
３２ｂ  開口部
３３  ガイド棒
３４  支持板
３５  ゲート孔
３６  突出部
４  キャップ
４ａ  雌ねじ
４ｂ  貫通孔
４ｃ  閉塞部
５  封緘リング
【図１】
2013230866.tif 000003
【図２】
2013230866.tif 000004
【図３】
2013230866.tif 000005
【図４】
2013230866.tif 000006
【図５】
2013230866.tif 000007
【図６】
2013230866.tif 000008